(57)【要約】【課題】角速度センサの出力バラツキをなくすために、回転するターンテーブルを用いることなく、極めて簡易に角速度センサの出力を校正可能にすること。【解決手段】角度設定回転駆動装置３は、角速度センサ２が搭載された検査台１を所定の角度だけ回転運動させる。出力積算部５は、角度設定回転駆動装置３による回転運動の間に角速度センサ２から出力される値の第１の積算値を出力する。感度補正部７は、出力積算部５による第１の積算値と基準値記憶部６に記憶された基準値とを比較し、この比較結果に基づいて角速度センサ２の感度補正を行う。角速度補正部８は、感度補正部７により補正された感度に基づいて角速度出力を補正して、補正された角速度を出力する。オフセット測定部４は、角速度センサ２のオフセットを測定する。【選択図】図３
2014139561.tif 000002
【特許請求の範囲】
【請求項１】
角速度センサを搭載する検査台と、
前記検査台を所定の角度だけ回転運動させる駆動装置と、
前記回転運動の間に前記角速度センサから出力される値の第１の積算値を出力する積算部と、
前記第１の積算値と記憶部に記憶された基準値とを比較し、該比較結果に基づいて前記角速度センサの感度補正を行う感度補正部と、
を備えた角速度センサの校正装置。
【請求項２】
前記駆動装置は、
前記検査台を所定の方向に第１の角度だけ回転させ、前記所定の方向と逆の方向に第２の角度だけ回転させ、
前記積算部は、
前記検査台が前記第１の角度だけ回転する間に前記角速度センサから出力される値の第２の積算値と、前記検査台が前記第２の角度だけ回転する間に前記角速度センサから出力される値の第３の積算値との差分に基づく値を前記第１の積算値として出力する請求項１に記載の角速度センサの校正装置。
【請求項３】
前記検査台を前記第１の角度だけ回転させる時間と前記検査台を前記第２の角度だけ回転させる時間とが略等しい請求項２に記載の角速度センサの校正装置。
【請求項４】
前記基準値が、前記第１の角度と前記第２の角度との差分に相当する値である請求項２又は３に記載の角速度センサの校正装置。
【請求項５】
前記角速度センサのオフセットを測定するオフセット測定部を備えている請求項１に記載の角速度センサの校正装置。
【請求項６】
前記基準値が、前記所定の角度に相当する値である請求項１又は５に記載の角速度センサの校正装置。
【請求項７】
前記検査台が、折り畳み回転駆動する請求項６に記載の角速度センサの校正装置。
【請求項８】
検査台に角速度センサを搭載する搭載ステップと、
前記検査台を所定の角度だけ回転運動させる回転ステップと、
前記回転運動の間に前記角速度センサから出力される値の第１の積算値を出力する出力ステップと、
前記第１の積算値と基準値とを比較し、該比較結果に基づいて前記角速度センサの感度補正を行う補正ステップと、
を有する角速度センサの校正方法。
【請求項９】
前記回転ステップは、
前記検査台を所定の方向に第１の角度だけ回転させ、前記所定の方向と逆の方向に第２の角度だけ回転させるステップであり、
前記出力ステップは、
前記検査台が前記第１の角度だけ回転する間に前記角速度センサから出力される値の第２の積算値と、前記検査台が前記第２の角度だけ回転する間に前記角速度センサから出力される値の第３の積算値との差分に基づく値を前記第１の積算値として出力するステップである請求項８に記載の角速度センサの校正方法。
【請求項１０】
前記検査台を前記第１の角度だけ回転させる時間と前記検査台を前記第２の角度だけ回転させる時間とが略等しい請求項９に記載の角速度センサの校正方法。
【請求項１１】
前記基準値が、前記第１の角度と前記第２の角度との差分に相当する値である請求項９又は１０に記載の角速度センサの校正方法。
【請求項１２】
前記基準値が、前記所定の角度に相当する値である請求項８に記載の角速度センサの校正方法。
【請求項１３】
前記基準値が、基準となる角速度センサを前記検査台で前記所定の角度だけ回転運動させた時の、前記所定の角度だけ回転する間に前記基準となる角速度センサが出力した出力値の積算値に基づく値である請求項８に記載の角速度センサの校正方法。
【請求項１４】
前記角速度センサのオフセットを測定する測定ステップを有し、
前記出力ステップは、
前記所定の角度だけ回転する間に前記角速度センサから出力される値の積算値と、前記所定の角度だけ回転する間に出力される前記角速度センサのオフセットの積算値との差分に基づく値を前記第１の積算値として出力するステップである請求項１２又は１３に記載の角速度センサの校正方法。
【請求項１５】
前記角速度センサのオフセットを測定する測定ステップと、前記角速度センサの出力から前記角速度センサのオフセットを取り除くように前記角速度センサの出力補正をする出力補正ステップとを有し、
前記出力ステップは、
所定の角度だけ回転する間に出力補正をされた前記角速度センサから出力される値の積算値に基づく値を前記第１の積算値として出力するステップである請求項１２又は１３に記載の角速度センサの校正方法。
【請求項１６】
前記回転ステップは、
前記検査台を所定の方向に第１の角度だけ回転させ、前記所定の方向と逆の方向に第２の角度だけ回転させるステップであり、
前記出力ステップは、
前記検査台を前記第１の角度だけ回転させる間に前記角速度センサから出力される値を積算する第１の積算ステップと、前記角速度センサの出力を反転させる反転ステップと、前記検査台を前記第２の角度だけ回転させる間に前記出力が反転された前記角速度センサから出力される値を積算する第２の積算ステップと、
を有し、
前記出力ステップは、
前記第１の積算ステップによって得られる積算値と前記第２の積算ステップによって得られる積算値との和に基づく値を前記第１の積算値として出力するステップである請求項１５に記載の角速度センサの校正方法。
【請求項１７】
前記検査台を前記第１の角度だけ回転させる時間と前記検査台を前記第２の角度だけ回転させる時間とが略等しい請求項１６に記載の角速度センサの校正方法。
【請求項１８】
前記基準値は、前記第１の角度と前記第２の角度の和の角度に相当する値である請求項１６又は１７に記載の角速度センサの校正方法。
【請求項１９】
前記回転ステップが、前記検査台を前記所定の角度だけ回転させる時間をＴ１、前記検査台を前記所定の角度だけ回転させる間の、前記検査台が略一定の角速度で回転している時間をＴ２としたときに、Ｔ２／Ｔ１が０．７以下となるように前記検査台を前記所定の角度だけ回転させるステップである請求項８に記載の角速度センサの校正方法。
【発明の詳細な説明】
【技術分野】
【０００１】
本発明は、角速度センサの校正装置及びその校正方法に関し、より詳細には、角速度センサの出力バラツキをなくすために、出荷前の角速度センサを正確な角速度で回転するターンテーブルを用いることなく、極めて簡易に角速度センサの出力を校正（感度補正）可能にする角速度センサの校正装置及びその校正方法に関する。
【背景技術】
【０００２】
従来から、自動車産業や機械産業などでは、運動する物体の加速度や角速度を正確に検出できるセンサの需要が高まっている。一般に、三次元空間内において自由運動をする物体には、任意の向きの加速度及び任意の回転方向の角速度が作用する。このため、この物体の運動を正確に把握するためには、ＸＹＺ三次元座標系における各座標軸方向の加速度と各座標軸まわりの角速度とをそれぞれ独立して検出する必要がある。
【０００３】
図１は、従来のコリオリ力を利用した一次元角速度センサの基本原理を説明するための斜視図で、特許文献１に記載されている一軸の角速度センサによる角速度の検出原理を説明するための図である。
角柱状の振動子１０に対してＸ，Ｙ，Ｚ軸を定義したＸＹＺ三次元座標系において、振動子１０がＺ軸を回転軸として角速度ωで回転運動を行っている場合、この振動子１０をＸ軸方向に往復運動させるような振動Ｕを与えると、Ｙ軸方向にコリオリ力Ｆが発生する。つまり、振動子１０をＸ軸に沿って振動させた状態で、この振動子１０を、Ｚ軸を中心軸として回転させると、Ｙ軸方向にコリオリ力Ｆが生じることになる。この現象は、フーコーの振り子として古くから知られている力学現象であり、発生するコリオリ力Ｆは、Ｆ＝２ｍ・ｖ・ωで表される。ここで、ｍは振動子１０の質量、ｖは振動子１０の振動についての瞬時の速度、ωは振動子１０の瞬時の角速度を示している。
【０００４】
この一軸の角速度センサは、上述した現象を利用して角速度ωを検出するものである。つまり、角柱状の振動子１０の第１の面には第１の圧電素子１１が、この第１の面と直交する第２の面には第２の圧電素子１２がそれぞれ取り付けられる。圧電素子１１，１２としては、ピエゾエレクトリックセラミックからなる板状の素子が用いられている。そして、振動子１０に対して振動Ｕを与えるために圧電素子１１が利用され、発生したコリオリ力Ｆを検出するために圧電素子１２が利用される。つまり、圧電素子１１に交流電圧を与えると、この圧電素子１１は伸縮運動を繰り返してＸ軸方向に振動する。この振動Ｕが振動子１０に伝達され、振動子１０がＸ軸方向に振動することになる。このように、振動子１０に振動Ｕを与えた状態で、振動子１０自身がＺ軸を中心軸として角速度ωで回転すると、上述した現象により、Ｙ軸方向にコリオリ力Ｆが発生する。このコリオリ力Ｆは、圧電素子１２の厚み方向に作用するため、圧電素子１２の両面にはコリオリ力Ｆに比例した電圧Ｖが発生する。そこで、この電圧Ｖを測定することにより、角速度ωを検出することが可能になる。
【０００５】
この種の角速度センサは、出荷前に特定の温度に維持しながら回転させて、その信号特性を角速度検査装置により検査されている。例えば、特許文献２に記載のものは、角速度センサ検査用テーブル装置に関するもので、角速度センサの信号は、周囲の温度によって変動する場合があり、車載品や高精度品については、出荷前にその温度特性を全品検査する必要があるところから、従来、角速度センサの温度特性を検査する場合、恒温槽内に回転プレートを設置して、この回転プレート上に角速度センサを搭載し、この恒温槽内を特定の温度に維持しながら、角速度センサを回転させて信号特性を検査している。
【０００６】
つまり、正確な角速度で回転するターンテーブル上に角速度センサを搭載し、このターンテーブルを一定角速度で回転させて角速度センサからの出力を測定して校正していた。
しかしながら、この従来の検査装置では、安定した一定角速度が得られるまでに時間を要するため、角速度センサの検査サイクルタイム（例えば、１個あたり５秒〜１５秒）を実現するためには、試験基板を大型化し、膨大な数の角速度センサを予めセットして同時に検査する必要があった。この結果、試験基板の設計・製作に多大な費用がかかり、また、膨大な数のソケットにおける角速度センサとのコンタクト性能を常に最適に維持・管理しなければならないという問題があった。また、検査装置の全体も大型化し、恒温槽への試験基板の出し入れ作業に時間を要するという問題があった。
【０００７】
また、角速度センサの信号処理に関しては、例えば、特許文献３には、ジャイロセンサが出力する角速度信号の誤差（センサ取り付けピッチ角、車両ピッチ角、センサの感度誤差などに起因する角速度誤差）を補正する角速度補正装置及びその補正方法が開示されている。
【先行技術文献】
【特許文献】
【０００８】
【特許文献１】特開２００７−３０９９４６号公報
【特許文献２】特開２０１１−２５７２０３号公報
【特許文献３】特開２００９−１３９２２７号公報
【発明の概要】
【発明が解決しようとする課題】
【０００９】
ところで、角速度センサには通常、製造ばらつきに起因する出力バラツキがあるため、出荷前に角速度センサを校正している。例えば、角速度センサを１秒間にＮ°の速さで回転させる場面を考える。角速度センサを１秒間にＮ°の速さで回転させる時の角速度センサの理想的な出力がαであるとすると、角速度センサに製造バラツキがあるので、ある角速度センサは、例えば、０．８αの出力をし、ある角速度センサは、例えば、１．２αの出力をしてしまう。
【００１０】
このような角速度センサの出力バラツキをなくすために、出荷前の角速度センサを校正する。具体的には、０．８αの出力をだしてしまう角速度センサについては、出力を５／４倍に校正（感度補正）し、１．２αの出力をだしてしまう角速度センサについては、出力を４／５倍にするように校正（感度補正）をしている。このような校正は、極めて手間がかかるものである。
【００１１】
また、正確な角速度で回転するターンテーブルを用意することは極めて難しく、しかも、ターンテーブルの角速度が一定になるまでの期間が無駄になる。つまり、従来のものでは、角速度センサが設定角速度の遷移部分の期間に出力した信号は破棄されてしまうという問題がある。
本発明は、このような問題に鑑みてなされたもので、その目的とするところは、角速度センサの出力バラツキをなくすために、出荷前の角速度センサを正確な角速度で回転するターンテーブルを用いることなく、極めて簡易に角速度センサの出力を校正（感度補正）可能にする角速度センサの校正装置及びその校正方法を提供することにある。
【課題を解決するための手段】
【００１２】
本発明は、このような目的を達成するためになされたもので、請求項１に記載の発明は、角速度センサを搭載する検査台と、前記検査台を所定の角度だけ回転運動させる駆動装置と、前記回転運動の間に前記角速度センサから出力される値の第１の積算値を出力する積算部と、前記第１の積算値と記憶部に記憶された基準値とを比較し、該比較結果に基づいて前記角速度センサの感度補正を行う感度補正部と、を備えた角速度センサの校正装置である。
【００１３】
また、請求項２に記載の発明は、請求項１に記載の発明において、前記駆動装置は、前記検査台を所定の方向に第１の角度だけ回転させ、前記所定の方向と逆の方向に第２の角度だけ回転させ、前記積算部は、前記検査台が前記第１の角度だけ回転する間に前記角速度センサから出力される値の第２の積算値と、前記検査台が前記第２の角度だけ回転する間に前記角速度センサから出力される値の第３の積算値との差分に基づく値を前記第１の積算値として出力する。
【００１４】
また、請求項３に記載の発明は、請求項２に記載の発明において、前記検査台を前記第１の角度だけ回転させる時間と前記検査台を前記第２の角度だけ回転させる時間とが略等しい。
また、請求項４に記載の発明は、請求項２又は３に記載の発明において、前記基準値が、前記第１の角度と前記第２の角度との差分に相当する値である。
【００１５】
また、請求項５に記載の発明は、請求項１に記載の発明において、前記角速度センサのオフセットを測定するオフセット測定部を備えている。
また、請求項６に記載の発明は、請求項１又は５に記載の発明において、前記基準値が、前記所定の角度に相当する値である。
また、請求項７に記載の発明は、請求項６に記載の発明において、前記検査台が、折り畳み回転駆動する。
【００１６】
また、請求項８に記載の発明は、検査台に角速度センサを搭載する搭載ステップと、前記検査台を所定の角度だけ回転運動させる回転ステップと、前記回転運動の間に前記角速度センサから出力される値の第１の積算値を出力する出力ステップと、前記第１の積算値と基準値とを比較し、該比較結果に基づいて前記角速度センサの感度補正を行う補正ステップと、を有する角速度センサの校正方法である。
【００１７】
また、請求項９に記載の発明は、請求項８に記載の発明において、前記回転ステップは、前記検査台を所定の方向に第１の角度だけ回転させ、前記所定の方向と逆の方向に第２の角度だけ回転させるステップであり、前記出力ステップは、前記検査台が前記第１の角度だけ回転する間に前記角速度センサから出力される値の第２の積算値と、前記検査台が前記第２の角度だけ回転する間に前記角速度センサから出力される値の第３の積算値との差分に基づく値を前記第１の積算値として出力するステップである。
【００１８】
また、請求項１０に記載の発明は、請求項９に記載の発明において、前記検査台を前記第１の角度だけ回転させる時間と前記検査台を前記第２の角度だけ回転させる時間とが略等しい。
また、請求項１１に記載の発明は、請求項９又は１０に記載の発明において、前記基準値が、前記第１の角度と前記第２の角度との差分に相当する値である。
【００１９】
また、請求項１２に記載の発明は、請求項８に記載の発明において、前記基準値が、前記所定の角度に相当する値である。
また、請求項１３に記載の発明は、請求項８に記載の発明において、前記基準値が、基準となる角速度センサを前記検査台で前記所定の角度だけ回転運動させた時の、前記所定の角度だけ回転する間に前記基準となる角速度センサが出力した出力値の積算値に基づく値である。
【００２０】
また、請求項１４に記載の発明は、請求項１２又は１３に記載の発明において、前記角速度センサのオフセットを測定する測定ステップを有し、前記出力ステップは、前記所定の角度だけ回転する間に前記角速度センサから出力される値の積算値と、前記所定の角度だけ回転する間に出力される前記角速度センサのオフセットの積算値との差分に基づく値を前記第１の積算値として出力するステップである。
【００２１】
また、請求項１５に記載の発明は、請求項１２又は１３記載の発明において、前記角速度センサのオフセットを測定する測定ステップと、前記角速度センサの出力から前記角速度センサのオフセットを取り除くように前記角速度センサの出力補正をする出力補正ステップとを有し、前記出力ステップは、所定の角度だけ回転する間に出力補正をされた前記角速度センサから出力される値の積算値に基づく値を前記第１の積算値として出力するステップである。
【００２２】
また、請求項１６に記載の発明は、請求項１５に記載の発明において、前記回転ステップは、前記検査台を所定の方向に第１の角度だけ回転させ、前記所定の方向と逆の方向に第２の角度だけ回転させるステップであり、前記出力ステップは、前記検査台を前記第１の角度だけ回転させる間に前記角速度センサから出力される値を積算する第１の積算ステップと、前記角速度センサの出力を反転させる反転ステップと、前記検査台を前記第２の角度だけ回転させる間に前記出力が反転された前記角速度センサから出力される値を積算する第２の積算ステップと、を有し、前記出力ステップは、前記第１の積算ステップによって得られる積算値と前記第２の積算ステップによって得られる積算値との和に基づく値を前記第１の積算値として出力するステップである。
【００２３】
また、請求項１７に記載の発明は、請求項１６に記載の発明において、前記検査台を前記第１の角度だけ回転させる時間と前記検査台を前記第２の角度だけ回転させる時間とが略等しい。
また、請求項１８に記載の発明は、請求項１６又は１７に記載の発明において、前記基準値は、前記第１の角度と前記第２の角度の和の角度に相当する値である。
【００２４】
また、請求項１９に記載の発明は、請求項８に記載の発明において、前記回転ステップが、前記検査台を前記所定の角度だけ回転させる時間をＴ１、前記検査台を前記所定の角度だけ回転させる間の、前記検査台が略一定の角速度で回転している時間をＴ２としたときに、Ｔ２／Ｔ１が０．７以下となるように前記検査台を前記所定の角度だけ回転させるステップである。
【発明の効果】
【００２５】
本発明によれば、角速度センサの出力バラツキをなくすために、出荷前の角速度センサを正確な角速度で回転するターンテーブルを用いることなく、極めて簡易に角速度センサの出力を校正（感度補正）可能にする角速度センサの校正装置及びその校正方法を実現することができる。
また、設定角速度の遷移部分の期間の出力も使用することができるので、Ｓ／Ｎ比が向上する。さらに、角速度センサが出力する信号の積分、つまり、角度を用いて校正するため、（角速度測定ではなく）角度測定に使用する角速度センサを高精度で校正することが可能となる。
【図面の簡単な説明】
【００２６】
【図１】従来のコリオリ力を利用した一次元角速度センサの基本原理を説明するための斜視図である。
【図２】（ａ），（ｂ）は、上下運動回転方式による角速度センサの検査方法を説明するための図である。
【図３】本発明に係る角速度センサの校正装置を説明するための構成図である。
【図４】本発明に係る角速度センサの校正方法を説明するための図である。
【図５】（ａ），（ｂ）は、低速度回転と高速度回転における感度誤差を説明するための図である。
【図６】（ａ），（ｂ）は、図５（ａ）に示した低速度回転における感度誤差を説明するための図である。
【図７】本発明に係る角速度センサの校正方法の実施例１を説明するためのフローチャートを示す図である。
【図８】（ａ），（ｂ）は、本発明の角速度センサの校正方法による効果を説明するための図である。
【図９】オフセットの除去の必要性を説明するための図である。
【図１０】図９に示したオフセットの問題を解決するための実施例２（第１の方法）を説明するための図である。
【図１１】本発明に係る角速度センサの校正方法の実施例２を説明するためのフローチャートを示す図である。
【図１２】本発明に係る角速度センサの校正方法の実施例２の変形例を説明するためのフローチャートを示す図である。
【図１３】図９に示したオフセットの問題を解決するための実施例３（第２の方法）を説明するための図である。
【図１４】図９に示したオフセットの問題を解決するための実施例４（第３の方法）を説明するための図である。
【発明を実施するための形態】
【００２７】
以下、図面を参照して本発明の各実施例について説明する。  
まず、本発明の各実施例の説明に先立って、出荷前の角速度センサの校正（感度補正）を回転する従来のターンテーブルを用いた角速度設定回転駆動方式によらずに行う校正方法、つまり、角度設定回転駆動方式を用いた校正方法について以下に説明する。なお、角速度設定回転駆動とは、回転軸に対して設定された一定角速度での円運動をする回転駆動方式で、角度設定回転駆動方式とは、回転軸に対して設定された角度分だけ円運動をする回転駆動方式を意味している。
【００２８】
図２（ａ），（ｂ）は、角度設定回転駆動方式による角速度センサの検査方法を説明するための図で、図２（ａ）は検査方法を示す図で、図２（ｂ）は検査結果の波形図を示している。図２（ａ）に示すように、平板の検査台１に搭載された角速度センサ２を、回転軸１ａを中心にして設定角度分だけ回転させる。つまり、検査台１の回転軸をＡ方向（０度から１８０度）に回転し、その後にＢ方向（１８０度から０度）に戻し回転する。このように回転された角速度センサによる出力は、図２（ｂ）に示すように、上向きの矩形波と下向きの矩形波が生じる。
【００２９】
図３は、本発明に係る角速度センサの校正装置を説明するための構成図である。図中符号３は角度設定回転駆動装置、４はオフセット測定部、５は出力積算部（積分処理部）、６は基準値記憶部、７は感度補正部、８は角速度補正部を示している。
本発明の角速度センサの校正装置は、検査台１の回転運動による角速度出力の感度補正を行う角速度センサの校正装置である。検査台１に角速度センサ２が搭載される。また、角度設定回転駆動装置３は、検査台１を所定の角度だけ回転運動させるものである。また、出力積算部（積分処理部）５は、角度設定回転駆動装置３による回転運動の間に角速度センサ２から出力される値の第１の積算値を出力するものである。
【００３０】
また、感度補正部７は、出力積算部５による第１の積算値と基準値記憶部６に記憶された基準値とを比較し、この比較結果に基づいて角速度センサ２の出力の感度補正を行うものである。また、角速度補正部８は、感度補正部７により補正された感度に基づいて角速度出力を補正して、補正された角速度を出力するものである。また、オフセット測定部４が、角速度センサ２のオフセットを測定するものである。
【００３１】
また、駆動装置３は、検査台１を所定の方向に第１の角度だけ回転させ、所定の方向と逆の方向に第２の角度だけ回転させ、積算部５は、検査台１が第１の角度だけ回転する間に角速度センサから出力される値の第２の積算値と、検査台１が第２の角度だけ回転する間に角速度センサ２から出力される値の第３の積算値との差分に基づく値を第１の積算値として出力するものである。
【００３２】
また、検査台１を第１の角度だけ回転させる時間と検査台１を第２の角度だけ回転させる時間とが略等しい。また、基準値が、第１の角度と第２の角度との差分に相当する値である。
なお、検査台１を上述のように正負に回転させる構成は必須ではないが、検査台１を正負に回転させる構成にすれば、角速度センサ２が出力する信号を伝送するケーブルを検査台１が備える構成である場合、ケーブルが検査台１に絡まないようにすることができる。
【００３３】
また、基準値は、所定の角度に相当する値である。また、検査台１は、回転駆動するものである。さらに、検査台１は、折り畳み回転駆動するものであってもよい。この折り畳み回転駆動により、０度→１８０度→９０度のようにして、必ずしも回転後に原位置に戻す必要ななく、角速度センサの搭載されている検査台の部分をまず１８０度回転した後に、９０度に戻し回転して出力を得ることもできる。
【００３４】
このような構成により、角速度センサの出力バラツキをなくすために、出荷前の角速度センサを正確な角速度で回転するターンテーブルを用いることなく、極めて簡易に角速度センサの出力を校正（感度補正）可能にする角速度センサの校正装置を実現することができる。
図４は、本発明に係る角速度センサの校正方法を説明するための図で、図２に示した角度設定回転駆動方式による角速度センサの検査方法により発生した矩形波を積分処理により本発明の校正方法に用いる台形波にしたものである。
【００３５】
上段が図２に示した上下運動回転駆動方式による角速度センサの検査方法により発生した矩形波で、下段がその矩形波を積分処理により本発明の校正方法に用いる台形波である。上段に示すように、Ｖを角速度センサの出力、Ｓを感度、Ωｄｃを角速度定数とすると、Ｖ＝Ｓ・Ωｄｃの関係がある。したがって、Ｓ＝Ｖ／Ωｄｃとなる。これに対して、本発明は、∫Ｖｄｔ＝∫Ｓ・Ωｄｔの関係から、
Ｓ＝∫Ｖｄｔ／∫Ωｄｔ＝∫Ｖｄｔ／θ０≒ΣＶΔｔ／θ０  ・・・（１）
となる。なお、θ０は角度変化（ａｎｇｌｅ  ｖａｒｉａｔｉｏｎ）を示している。
【００３６】
図５（ａ），（ｂ）は、低速度回転と高速度回転における感度誤差を説明するための図で、図５（ａ）が低速度回転の場合、図５（ｂ）が高速度回転の場合を示している。図５（ａ）に示す低速度回転の場合には、Ｓ（感度）は１４．１８４（ＬＳＢ／ｄｐｓ）で、感度誤差は１．３％である。これに対して、図５（ｂ）に示す高速度回転の場合には、Ｓ（感度）は１４．１７０（ＬＳＢ／ｄｐｓ）で、感度誤差は１．４％で、予想検査時間は７．２ｓｅｃである。従来が１２ｓｅｃであったから検査時間が短縮されていることが分かる。
【００３７】
図６（ａ），（ｂ）は、図５（ｂ）に示した高速度回転における感度誤差を説明するための図で、図６（ａ）は図４に示した図で、図６（ｂ）は感度誤差を伴う角速度出力を示している。
図４に示したように、図６（ａ）の上段が図２に示した角速度設定回転駆動方式による角速度センサの検査方法により発生した矩形波で、下段がその矩形波を積分処理により本発明の校正方法に用いる台形波である。この場合の角速度出力は、図６（ａ）の上段に示すように角速度が急速に増加し短時間で回転を行う場合、角速度センサの応答速度が有限であるため、図６（ｂ）上段に示すように鈍った矩形波となる。この鈍った矩形波を積分すると図６（ｂ）下段に示すように、本来の積分値に比較して小さな積分値しか得られず、この結果感度誤差が生じる。
【実施例１】
【００３８】
図７は、本発明に係る角速度センサの校正方法の実施例１を説明するためのフローチャートを示す図である。本実施例１の角速度センサの校正方法は、検査台の回転運動による角速度出力の感度補正を行う角速度センサの校正方法である。
本実施例１においては、まず、検査台1に角速度センサを搭載する（ステップＳ１）。次に、検査台１を所定の角度だけ回転運動させる（ステップＳ２）。次に、回転運動の間に角速度センサ２から出力される値の第１の積算値を出力する（ステップＳ３）。次に、第１の積算値と基準値とを比較し、この比較結果に基づいて角速度センサ２の感度補正を行う（ステップＳ４）。
【００３９】
また、回転ステップは、検査台１を所定の方向に第１の角度だけ回転させ、所定の方向と逆の方向に第２の角度だけ回転させるステップであり、出力ステップは、検査台１が第１の角度だけ回転する間に角速度センサ２から出力される値の第２の積算値と、検査台１が第２の角度だけ回転する間に角速度センサ２から出力される値の第３の積算値との差分に基づく値を第１の積算値として出力するステップである。
【００４０】
また、検査台１を第１の角度だけ回転させる時間と検査台１を第２の角度だけ回転させる時間とが略等しい。また、基準値が、第１の角度と第２の角度との差分に相当する値である。
検査台１を上述のように正負に回転させる構成は必須ではないが、検査台１を正負に回転させる構成にすれば、角速度センサ２が出力する信号を伝送するケーブルを検査台１が備える構成である場合、ケーブルが検査台１に絡まないようにすることができる。
【００４１】
なお、基準値とは、例えば、検査台１を回転運動させる角度で、所定の角度に相当する値である。つまり、検査台１を回転運動させる角度を１８０°に設定し、この所定の角度だけ回転する間に角速度センサ２から出力される値を積算した値が角度で１７５°に相当する値であるとすると、この場合には、角速度センサ２の出力を（１８０°／１７５°）倍する校正することになる。
【００４２】
また、基準値は、基準となる角速度センサ２を検査台１で所定の角度だけ回転運動させた時の、所定の角度だけ回転する間に基準となる角速度センサ２が出力した出力値の積算値に基づく値である。これは、基準となる角速度センサ２を検査台で所定の角度だけ回転させた時の、所定の角度だけ回転する間に基準となる角速度センサ２が出力した出力値の積算値を用いる方法である。
【００４３】
つまり、検査台を回転させる角度（所定の角度）を１８０°に設定し、基準となる角速度センサ（レファレンスとなる角速度センサ）を検査台に載せて回転させ、所定の角度だけ回転する間に基準となる角速度センサが出力した出力値の積算値が１７８°に相当する値であり、レファレンスとなる角速度センサとは他の角速度センサを検査台に載せて回転させ、所定の角度だけ回転する間に他の角速度センサが出力した出力値の積算値が１７０°に相当する値であるとすると、この場合には、他の角速度センサの出力を（１７８°／１７０°）倍する校正する。
【００４４】
このような角速度センサの校正方法によれば、以下のような効果が得られる。
（１）積分処理を行っているので、高ＳＮで校正時間を短縮できる。（２）設定角速度の遷移部分も信号として使用可能であるあり、一定角速度を必要としない。（３）角速度の設定よりも角度設定の方が容易である。（４）角度精度が得られる。
つまり、角速度センサの出力バラツキをなくすために、出荷前の角速度センサを正確な角速度で回転するターンテーブルを用いることなく、極めて簡易に角速度センサの出力を校正（感度補正）可能にする角速度センサの校正方法を実現することができる。
【００４５】
図８（ａ），（ｂ）は、本発明の角速度センサの校正方法による効果を説明するための図で、図８（ａ）は、図２に示した角度設定回転駆動方式による角速度センサの検査方法により発生した矩形波で、一定角速度の区間が長い場合を示している。図８（ｂ）は、一定角速度区間が全くない場合を示している。本発明においては、図８（ｂ）で示すような角速波形を用いても精度良く感度の校正を行うことができる。
【００４６】
上述した式（１）を用いているので、もしも、内部クロックの周期Δｔが一定方向にずれた状態で（例えば、９０％）感度Ｓを求めた場合、角速度の感度としては誤差が生じる。しかし、実際のアプリケーションにおいて多く使用され重要とされるのは、角速度センサ出力を積分して得られる角度である。出荷前校正時に用いたのと同じΔtを用いて角速度センサ出力を積分して角度を求めれば、Δtに起因する誤差はキャンセルされ角度に誤差は生じない。また、角速度ではなく、角度を設定して校正を行っているため、角度に対する校正精度が高い。
【００４７】
しかしながら、オフセットの問題がある。積分処理を実行する際にはこのオフセットを除去する必要がある。つまり、上述したステップ４において、出力積算値とオフセット値の差分を基準値と比較する必要がある。
検査台を正の角度である＋α°だけ回転させたとき、角速度センサの出力の積算値は＋α°になるはずである。しかしながら、角速度センサのオフセットが生じていると角速度センサが出力した出力値の積算値は＋α°にならない。具体的には、角速度センサの信号成分をａ、角速度センサのオフセットの値をｂ、検査台を正の角度である＋α°だけ回転させるまでにかかった時間をＴとすると、角速度センサが出力した出力値の積算値はα＋ｂ×Ｔになってしまう。そのため、このオフセットの値を考慮しないと正しい校正ができない。
【実施例２】
【００４８】
図９は、オフセットの除去の必要性を説明するための図である。上段に示した矩形波にはオフセットが含まれている。これを積分処理すると多段のような波形になる。つまり、歪んだ傾いた台形波になってしまう。
図１０は、図９に示したオフセットの問題を解決するための実施例２（第１の方法）を説明するための図である。事前にオフセットを測っておいて、図１０の左側に示すようなオフセットを含む矩形波からこのオフセットを除去すると、図１０の右側上段に示すようなオフセットを含まない矩形波になる。この矩形波を積分処理すると、図１０の右側下段に示すような台形波が得られる。本実施例２は、角速度センサのオフセット成分を事前に測定しておく校正方法である。
【００４９】
図１１は、本発明に係る角速度センサの校正方法の実施例２を説明するためのフローチャートを示す図である。
本実施例２においては、まず、検査台1に角速度センサを搭載する（ステップＳ１１）。次に、角速度センサ２のオフセットを測定する（ステップＳ１２）。次に、検査台１を所定の角度だけ回転運動させる（ステップＳ１３）。次に、所定の角度だけ回転する間に角速度センサ２から出力される値の積算値と、所定の角度だけ回転する間に出力される角速度センサ２のオフセットの積算値との差分に基づく値を第１の積算値として出力する（ステップＳ１４）。次に、第１の積算値と基準値とを比較し、この比較結果に基づいて角速度センサの感度補正を行う（ステップＳ１５）。
【００５０】
角速度センサ２の信号成分をａ、角速度センサ２のオフセット成分をｂ、所定の角度だけ回転する時間をＴとすると、オフセット成分を持つ角速度センサ２の出力はａ＋ｂ、オフセット成分を持つ角速度センサ２から出力される値を積算した値は∫0T（ａ＋ｂ）ｄt、求めたい値は∫0T（ａ）ｄtとなる。
つまり、事前に角速度センサ２のオフセット成分ｂを測定しておき、オフセット成分を持つ角速度センサ２の出力ａ＋ｂから事前に測定したオフセット成分ｂを引いて、その差分（つまりａ）を時間Ｔで積分するという方法で正しい角速度センサ２の出力積算値（∫0T（ａ）ｄt）を演算する。
【００５１】
図１２は、本発明に係る角速度センサの校正方法の実施例２の変形例を説明するためのフローチャートを示す図である。本実施例２の変形例も、角速度センサのオフセット成分を事前に測定しておく校正方法である。
本実施例２の変形例においては、まず、検査台１に角速度センサを搭載する（ステップＳ２１）。次に、角速度センサ２のオフセットを測定する（ステップＳ２２）。次に、検査台１を所定の角度だけ回転運動させる（ステップＳ２３）。次に、角速度センサ２の出力から角速度センサ２のオフセットを取り除くように角速度センサ２の出力補正をする（ステップＳ２４）。次に、回転運動の間に出力補正をされた角速度センサ２から出力される値の積分値に基づく値を角速度センサ２の第１の積算値として出力する（ステップＳ２５）。次に、第１の積算値と基準値とを比較し、この比較結果に基づいて角速度センサ２の感度補正を行う（ステップＳ２６）。
【００５２】
このように事前に角速度センサ２のオフセット成分ｂを測定しておき、オフセット成分を持つ角速度センサ２から出力される値を積算した値（∫0T（ａ＋ｂ）ｄt）からオフセット成分の積算値（∫0T（ｂ）ｄt）を引くことで正しい角速度センサ２の出力積算値（∫0T（ａ）ｄt）を演算する。
【実施例３】
【００５３】
図１３は、図９に示したオフセットの問題を解決するための実施例３（第２の方法）を説明するための図である。図１０に示した実施例２が事前にオフセットを測っておくのに対して、本実施例３においては、角速度センサのオフセット成分を事前に計測しておかなくても正確な角速度センサの出力積算値を演算することを可能にしている。
図１３の上段に示すように、オフセットを含む矩形波からこのオフセットを除去すると、オフセットを含まない矩形波になる。この矩形波を図１３の下段に示すような積分処理すると、図１３の下段に示すような波形が得られる。
【００５４】
検査台を所定の角度だけ回転運動させるステップが、検査台を正の角度である第１の角度＋α°だけ回転させ、その後、負の角度である第２の角度−β°だけ回転させるステップで、回転運動の間に角速度センサの出力積算値を演算するステップが、第１の角度＋α°だけ回転する間に角速度センサから出力される値を積算した値の絶対値と、第２の角度−β°だけ回転する間に角速度センサから出力される値を積算した値の絶対値との和に基づく値を角速度センサの出力積算値として積分処理して演算する。つまり、回転運動の間に角速度センサから出力される値の第１の積算値を出力するステップは、検査台が第１の角度＋α°だけ回転する間に角速度センサから出力される値の第２の積算値と、検査台が第２の角度−β°だけ回転する間に角速度センサから出力される値の第３の積算値との差分に基づく値を第１の積算値として出力するステップである。
【００５５】
また、検査台を第１の角度＋α°だけ回転させる時間と検査台を第２の角度−β°だけ回転させる時間とが略等しい。また、基準値は、第１の角度と第２の角度の和α°＋β°の角度に相当する値である。
つまり、検査台を正の角度である＋α°だけ回転させるのにかかる時間をＴ、検査台を負の角度である−β°だけ回転させるのにかかる時間をＴとした時に、回転台を正の角度である＋α°だけ回転させる間にオフセット成分を持つ角速度センサから出力される値を積算した値は、α＋（ｂ×Ｔ）になる。検査台を負の角度である−β°だけ回転させる間にオフセット成分を持つ角速度センサから出力される値を積算した値は、−β＋（ｂ×Ｔ）になる。
【００５６】
したがって、＋α°角度だけ回転する間に角速度センサから出力される値を積算した値と、−β°角度だけ回転する間に角速度センサから出力される値を積算した値との差分は、（α＋（ｂ×Ｔ））−（−β+（ｂ×Ｔ））＝α＋βになり、オフセット成分を消去することができる。なお。αとβは同じ値であっても良いし、違う値であってもよい。さらに、本例では、積算値の差分をとる構成であり、オフセットの積算値がキャンセルされるため、オフセットの測定が不要であるという効果を奏する。
【実施例４】
【００５７】
図１４は、図９に示したオフセットの問題を解決するための実施例４（第３の方法）を説明するための図である。上述した本実施例３と同様に、角速度センサのオフセット成分を事前に計測しておかなくても正確な角速度センサ出力積算値を演算することを可能にしている。上述した実施例３が、積算値の差分を用いているのに対して、本実施例４では、角速度センサから出力される値を反転している。
【００５８】
検査台を所定の角度だけ回転運動させるステップは、検査台を正の角度である第１の角度＋α°だけ回転させ、その後、負の角度である第２の角度−β°だけ回転させるステップである。
さらに、回転運動の間に角速度センサの第１の積算値を出力するステップは、検査台を第１の角度＋α°だけ回転させる間に角速度センサから出力される値を積算する第１の積算ステップと、角速度センサの出力を反転させるステップと、検査台を第２の角度−β°だけ回転させる間に出力が反転された角速度センサから出力される値を積算する第２の積算ステップと、オフセットを取り除くように角速度センサの出力補正をするステップで得られる積算値と角速度センサから出力される第２の積算ステップで得られる積算値との和に基づく値を角速度センサの第１の積算値として出力するステップとを有している。
【００５９】
また、検査台を第１の角度＋α°だけ回転させる時間と検査台を第２の角度−β°だけ回転させる時間とが略等しい。また、基準値は、第１の角度と第２の角度の和α°＋β°の角度に相当する値である。
また、検査台を所定の角度だけ回転運動させるステップは、検査台を所定の角度だけ回転させる時間をＴ１、検査台を所定の角度だけ回転させる間の、検査台が略一定で回転している時間をＴ２とした時に、Ｔ２／Ｔ１が０．７以下となるように検査台を所定の角度だけ回転させるステップであってもよい。このようにすることで、検査台の精密な制御が不要になり、角速度制御があまり精密ではない検査台を使用することができる。ここで、検査台が略一定の角速度で回転している時間とは、検査台を所定の角速度で回転するように検査台を設定した時の、その設定した角速度の±６％の角速度で回転している時間を指すものとする。つまり、検査台を毎秒Ｍ度で回転するように設定した時の、毎秒（０．９４Ｍ）度〜毎秒（１．０６Ｍ）度の角速度で回転している時間を指すものとする。Ｔ２／Ｔ１が小さいほど検査台の精密な制御が不要になり、角速度制御があまり精密ではない検査台を使用することができるため好ましい。Ｔ２／Ｔ１は０．６以下であることが好ましく、０．５以下であることがより好ましく、０．３以下であることが更に好ましく、０であることが特に好ましい。
【符号の説明】
【００６０】
１  検査台
１ａ  回転軸
２  角速度センサ
３  上下回転運動駆動装置
４  オフセット測定部
５  出力積算部（積分処理部）
６  基準値記憶部
７  感度補正部
８  角速度補正部
【図１】
2014139561.tif 000003
【図２】
2014139561.tif 000004
【図３】
2014139561.tif 000005
【図４】
2014139561.tif 000006
【図５】
2014139561.tif 000007
【図６】
2014139561.tif 000008
【図７】
2014139561.tif 000009
【図８】
2014139561.tif 000010
【図９】
2014139561.tif 000011
【図１０】
2014139561.tif 000012
【図１１】
2014139561.tif 000013
【図１２】
2014139561.tif 000014
【図１３】
2014139561.tif 000015
【図１４】
2014139561.tif 000016